(57)【特許請求の範囲】
【請求項１】
一次側の主回路を開閉する主回路開閉スイッチと接地回路を開閉する接地回路開閉スイッチを備え、前記主回路開閉スイッチの開閉操作レバーと前記接地回路開閉スイッチの開閉操作レバーとに対応する前面側に操作盤を設け、この操作盤における前記開閉操作レバーの端面の対向部分に、前記各開閉操作ハンドル挿入用の長孔を上下方向に設けた地上用変圧器装置において、
前記主回路開閉スイッチの前記開閉操作レバーと前記接地回路開閉スイッチの前記開閉操作レバーとにそれぞれ異なる断面形状の穴を設け、
前記主回路開閉スイッチの前記開閉操作レバーと前記接地回路開閉スイッチの前記開閉操作レバーの異なる断面形状の穴にそれぞれ着脱可能な開閉操作ハンドルを備え、
前記開閉操作ハンドルは、前記主回路開閉スイッチの前記開閉操作レバーと前記接地回路開閉スイッチの前記開閉操作レバーの異なる断面形状の穴にそれぞれ嵌め込まれる先端部材と、この先端部材に組み付けられる前記先端部材の共通用のグリップ部材とで構成した
ことを特徴とする地上用変圧器装置。
【請求項２】
前記操作盤に、前記接地回路開閉スイッチの前記開閉操作ハンドル挿入口を塞ぐ保護カバーを回動可能に設けたことを特徴とする請求項１に記載の地上用変圧器装置。
【請求項３】
前記保護カバーの両表面に、それぞれ異なる注意事項の表示を設けたことを特徴とする請求項２に記載の地上用変圧器装置。
【請求項４】
前記開閉操作ハンドルは、前記地上用変圧器装置の扉内面に収納可能にしたことを特徴とする請求項１に記載の地上用変圧器装置。
【発明の詳細な説明】
【技術分野】
【０００１】
本発明は一次側の開閉器に主回路開閉スイッチと接地回路開閉スイッチを設けた地上用変圧器装置に係り、更に詳しくは、接地回路開閉スイッチを開閉操作する際の誤操作を防止することができる地上用変圧器装置に関する。
【背景技術】
【０００２】
地上用変圧器装置は、変圧器一次側に主回路の回線切換えを目的とするために、負荷開閉器や断路器などの主回路開閉スイッチと、定期点検時に、各回線に接続されたケーブル端末の点検作業を行う際、点検作業を行う回線の接地をとるための接地スイッチを設けている（例えば、特許文献１参照。）。
【０００３】
近年、地上用変圧器装置の設置スペース縮小化のニーズに対し、地上用変圧器装置の小形化が進んでいる。これにより、一次側開閉器も小形になり、主回路開閉スイッチと接地回路開閉スイッチの手動ハンドル操作部も隣接した配置構成になっている。
【０００４】
【特許文献１】特開２００４−２４８３６０号公報
【発明の開示】
【発明が解決しようとする課題】
【０００５】
上記の地上用変圧器装置においては、その主回路開閉スイッチと接地回路の開閉スイッチは現地で作業者が手動ハンドルを用いて開閉操作を行う方式が主流となっているが、上記の背景により、主回路開閉スイッチと接地回路開閉スイッチとの手動ハンドル操作部が隣接配置させる構成となっているため、現地で作業者が主回路開閉スイッチを操作する際、接地回路開閉スイッチを誤って操作する可能性が高くなった。
【０００６】
従って、回線が充電状態で主回路の開閉スイッチが「開」状態のとき、主回路の開閉スイッチを「閉」状態にするために操作するはずが、誤って接地回路の開閉スイッチを「接地」状態に操作してしまった場合、回線は三相地絡・短絡状態となり、大事故に発展してしまう恐れがある。
【０００７】
本発明は、上記の事情に鑑みなされたものであり、地上用変圧器装置における接地回路の開閉スイッチの誤操作を防止することができる地上用変圧器装置を提供することを目的とする。
【課題を解決するための手段】
【０００８】
上記の目的を達成するために、第１の発明は、一次側の主回路を開閉する主回路開閉スイッチと接地回路を開閉する接地回路開閉スイッチを備え、前記主回路開閉スイッチの開閉操作レバーと前記接地回路開閉スイッチの開閉操作レバーとに対応する前面側に操作盤を設け、この操作盤における前記開閉操作レバーの端面の対向部分に、前記各開閉操作ハンドル挿入用の長孔を上下方向に設けた地上用変圧器装置において、前記主回路開閉スイッチの前記開閉操作レバーと前記接地回路開閉スイッチの前記開閉操作レバーとにそれぞれ異なる断面形状の穴を設け、前記主回路開閉スイッチの前記開閉操作レバーと前記接地回路開閉スイッチの前記開閉操作レバーの異なる断面形状の穴にそれぞれ着脱可能な開閉操作ハンドルを備え、前記開閉操作ハンドルは、前記主回路開閉スイッチの前記開閉操作レバーと前記接地回路開閉スイッチの前記開閉操作レバーの異なる断面形状の穴にそれぞれ嵌め込まれる先端部材と、この先端部材に組み付けられる前記先端部材の共通用のグリップ部材とで構成したことを特徴とする。
【００１０】
また、第２の発明は、第１の発明において、前記操作盤に、前記接地回路開閉スイッチの前記開閉操作ハンドル挿入口を塞ぐ保護カバーを回動可能に設けたことを特徴とする。
【００１１】
更に、第３の発明は、第２の発明において、前記保護カバーの両表面に、それぞれ異なる注意事項の表示を設けたことを特徴とする。
【００１３】
また、第４の発明は、第１の発明において、前記開閉操作ハンドルは、前記地上用変圧器装置の扉内面に収納可能にしたことを特徴とする。
【発明の効果】
【００１４】
本発明によれば、地上用変圧器装置における主回路開閉スイッチと接地回路開閉スイッチの操作ハンドルを専用化して、接地回路開閉スイッチの誤操作を防止するようにしたので、点検作業時の確実性が図られ、地上用変圧器装置の安全性を向上させることができる。
【発明を実施するための最良の形態】
【００１５】
以下、本発明の地上用変圧器装置の実施の形態を図面を用いて説明する。  
図１は本発明の地上用変圧器装置の一実施の形態を示す正面図、図２はその手動操作部を拡大して示す正面図である。図１において、地上用変圧器装置は、地上に設置した装置箱１内に機器を収納している。この装置箱１の前面には、右側扉１Ａと左側扉１Ｂとが観音開き形式に設けられている。この図１においては、説明の便宜上、左側扉１Ｂを開いた状態を示している。
【００１６】
地上用変圧器装置は、その装置箱１の下方からその内部に導入された一次側ケーブル２，３より受電する。通常時、受電を行う回線と通常回線に故障もしくは点検のため、停電が生じた際にも電気が受電できるよう予備回線を設けている。
【００１７】
この予備回線と通常回線とは、それぞれが一次側ケーブル２，３で接続されている。回線の切換えは、装置箱１の左側に設けられ、一次側ケーブル２，３に接続した一次側開閉器スイッチ部４で行われる。一次側開閉器スイッチ部４には、主回路開閉スイッチ（図示せず）が３個、接地回路スイッチ（図示ぜす）が２個収納されている。一次側開閉器スイッチ部４における各スイッチの「入」、「切」動作は、装置箱１の左側で一次側開閉器スイッチ部４の上部に配置した一次側開閉器操作部５で行われる。
【００１８】
受電された電気は、一次側開閉器スイッチ部４を通過した後、ヒューズ６を通り、変圧器７に送電される。ヒューズ６は、変圧器７内部で事故が発生したときの事故電流で変圧器７の故障拡大、及び上位系統への事故の波及を防止する目的で設けられている。
【００１９】
変圧器７は、高電圧で受電された電気を負荷で使用可能な電圧レベルまで下げる目的で設けられている。変圧器７で低電圧となった電気は、二次側の遮断器８を通過後、二次側ケーブル９により送電される。二次側の遮断器８は二次側ケーブル９より先の負荷側で事故が発生し、事故電流が通過した際、変圧器７より上位系統を保護する目的で設けられている。
【００２０】
次に、前述した一次側開閉器操作部５の詳細な構成を、図２を用いて説明する。この図２において、一次側開閉器操作部５は、その前面に操作盤１０を備えている。この操作盤１０には、操作ハンドル挿入用の長孔１３，１４が前述した３個の主回路開閉スイッチにおける開閉操作レバー１１及び２個の接地回路開閉スイッチにおける開閉操作レバー１２にそれぞれ対応して設けられている。この長孔１３，１４は、後述する操作ハンドルの挿入口としての機能を果たしている。
【００２１】
この長孔１３，１４は、主回路スイッチ及び接地回路開閉スイッチともに上下操作でスイッチ操作できるよう操作方法を統一することで作業者が操作上混乱しないよう配慮がされているため、これに対応して操作盤１０の上下方向（図２上、上下方向）に設けられている。また、操作盤１０には、スイッチ１５、系統表示シール１６が設けられている。
【００２２】
主回路開閉スイッチにおける開閉操作レバー１１は、図２に示すように長孔１３の上方位置にあるときには、主回路開閉スイッチを開に、長孔１３の下方位置にあるときには、主回路開閉スイッチを閉に切り換える。また、接地回路開閉スイッチにおける開閉操作レバー１２は、図２に示すように長孔１３の上方位置にあるときには、接地回路開閉スイッチを切りに、長孔１３の下方位置にあるときには、主回路開閉スイッチを接地に切り換える。
【００２３】
主回路開閉スイッチにおける開閉操作レバー１１の端面及び接地回路開閉スイッチにおける開閉操作レバー１２の端面には、後述する操作ハンドルの先端が挿入されるそれぞれ異なる断面形状の穴１７，１８が設けられている。この例では、主回路開閉スイッチにおける開閉操作レバー１１の端面には、断面角形状の穴１７が、接地回路開閉スイッチにおける開閉操作レバー１２の端面には、断面丸形状の穴１８が設けられている。
【００２４】
操作盤１０における長孔１４の側部には、ピン軸１９により長孔１４の上下方向中間を回動支点とする保護カバー２０が設けられている。この保護カバー２０は、その先端に銘板の機能を兼ねる塞ぎ部２０Ａを備えている。この保護カバー２０は、通常、その塞ぎ部２０Ａが切り位置（図２における長孔１４の上方位置）にある開閉操作レバー１２の端面を塞ぎ、接地回路開閉スイッチにおける開閉操作レバー１２の端面の穴１８に後述する操作ハンドルの先端が挿入できないように、ねじ２１によって操作盤１０に固定されている。
【００２５】
ねじ２１は、ステンレス製のチェーン２２を介して操作盤１０に連結されている。このため、ねじ２１を抜き取った場合、ねじ２１は、現地での操作時に地上等に脱落することなく、紛失することがない。
【００２６】
保護カバー２０の塞ぎ部２０Ａの一方の表面及び他方の表面には、作業者が保護カバー２０を回動させる際、操作注意事項を記載したシール２３，２４等の表示がそれぞれ貼着されている。このシール２３には、例えば、「ＶＤ（電圧検出）で全相無電圧確認後、カバーを下げてからＥＳ操作」等の注意事項が記載されている。また、シール２４には、例えば、「ＥＳ操作後、カバーを元の位置に戻してから施錠」等の注意事項が記載されている。
【００２７】
なお、図２において、左側の保護カバー２０は、接地回路開閉スイッチにおける開閉操作レバー１２の操作が不可能なように、開閉操作レバー１２の端部を塞いでおり、右側の保護カバー２０は、接地回路スイッチにおける開閉操作レバー１２の操作が可能なように、ピン軸１９回りに下側に回動されて開閉操作レバー１２の端部を解放した状態を示している。
【００２８】
図１にもどり、左側扉１Ｂの内面には、２つのハンドル保持部２５，２６が設けられている。一方のハンドル保持部２５には、図３に示す主回路開閉操作ハンドル２７を構成するハンドル先端部材２９と図４に示す接地回路開閉操作ハンドル３２を構成するハンドル先端部材３０とが着脱可能に設けられている。また、他方のハンドル保持部２６には、前記先端部材２９，３０の共通用のグリップ部材３１が着脱可能に設けられている。
【００２９】
主回路開閉操作ハンドル２７を構成するハンドル先端部材２９の先端は、図２に示す前述した主回路開閉スイッチにおける開閉操作レバー１１の端面の断面角形状の穴１７に嵌め込むことができるように、断面角形状に形成されている。また、接地回路開閉操作ハンドル３２を構成するハンドル先端部材３０の先端は、図２に示す前述した接地回路開閉スイッチにおける開閉操作レバー１２の端面の断面丸形状の穴１８に嵌め込むことができるように、断面丸形状に形成されている。
【００３０】
各ハンドル先端部材２９，３０の基部側には、図３及び図４に示すように、共通用のグリップ部材３１の先端部が嵌め込まれる穴３３がそれぞれ設けられている。
【００３１】
次に、上述した本発明の地上用変圧器装置の一実施の形態の動作を説明する。  
地上用変圧器装置を点検する場合、まず、左側扉１Ｂを開く、この際、接地回路開閉スイッチの長孔１４の上部は、保護カバー２０の塞ぎ部２０Ａによって塞がれているので、保護カバー２０を下方に回動させない限り、接地回路開閉操作ハンドルのハンドル先端部材３０を挿入できない状態になっている。
【００３２】
これにより、接地回路の操作は安易に実施することができず、保護カバー２０を下方の回動させることで、作業者がこれから接地作業を実施するという意識を持たせることができる。
【００３３】
主回路開閉スイッチの手動操作の際は、図２に示す左側扉１Ｂの内面に保持されている主回路開閉操作ハンドル２７を構成するハンドル先端部材２９と共通用のグリップ部材３１とを、ハンドル保持部２５、２６から抜き取り、図３に示すように組み付けて、主回路開閉操作ハンドル２７を構成する。
【００３４】
この主回路開閉操作ハンドル２７を把持して、その先端部材２９を長孔１３を通して主回路切換スイッチにおける開閉操作レバー１１の端面の断面角形状の穴１７に嵌め込んだ後、主回路開閉操作ハンドル２７を下方向に動かすことで、主回路開閉スイッチを「閉」状態にすることができ、また、主回路開閉操作ハンドルを上方向に動かすことで、主回路開閉スイッチを「開」状態にすることができる。
【００３５】
次に、主回路開閉スイッチを「閉」状態にして、接地回路開閉スイッチを手動操作する場合には、まず、保護カバー２０の塞ぎ部２０Ａに貼り付けたシール２３の注意事項、例えば、「ＶＤ（電圧検出）で全相無電圧確認後、カバーを下げてからＥＳ操作」を目視することで、接地回路スイッチの操作前に回路が無電圧（停電）状態となっているか否かの確認忘れを防止することができる。
【００３６】
この確認後、ねじ２１を取り外して、保護カバー２０をピン軸１９回りに回動し、下方向に動かす。この状態は図２の左側から２つ目の保護カバー２０の位置に相当する。これにより、接地回路開閉スイッチにおける開閉操作レバー１２の端部が長孔１４を通して目視することができる。この際、ねじ２１はチェーン２２によって操作盤１０面上に保持されている。
【００３７】
次に、前述した主回路開閉スイッチの手動操作の場合と同様に、図２に示す左側扉１Ｂの内面に保持されている接地回路開閉操作ハンドル３２を構成するハンドル先端部材３０をハンドル保持部２５から抜き取り、共通用のグリップ部材３１に組み付けて、図４に示すような接地回路開閉操作ハンドル３２を構成する。
【００３８】
この接地回路開閉操作ハンドル３２を把持して、その先端部材３０を長孔１４を通して接地回路開閉スイッチにおける開閉操作レバー１２の端面の断面丸形状の穴１８に嵌め込んだ後、接地回路開閉操作ハンドル３２を下方向に動かすことで、接地回路開閉スイッチを「接地」状態にすることができる。また、接地回路開閉操作ハンドルを上方向に動かすことで接地回路開閉スイッチを「切」状態にすることができる。
【００３９】
接地回路開閉スイッチの動作点検後には、保護カバー２０をピン軸１９回りに回動して下側から上側に位置させた後、保護カバー２０をねじ２１によって操作盤１０に固定する。この際、作業者は、保護カバー２０の塞ぎ部２０Ａに貼り付けたシール２４の注意事項、例えば、「ＥＳ操作後、カバーを元の位置に戻してから施錠」を目視することで、接地回路開閉スイッチを「切」状態に戻す際の戻し忘れるのを防止することができる。
【００４０】
その後、左側扉１Ｂの内面の一方のハンドル保持部２５に、主回路開閉操作ハンドル２７を構成するハンドル先端部材２９と接地回路開閉操作ハンドル３２を構成するハンドル先端部材３０とを保持し、また、左側扉１Ｂの内面の他方のハンドル保持部２６に、前記先端部材２９，３０の共通用のグリップ部材３１を保持収納し、左側扉１Ｂを閉じて、施錠する。
【００４１】
なお、上述の実施の形態においては、主回路開閉スイッチにおける開閉操作レバー１１の端面部と主回路開閉操作ハンドル２７を構成するハンドル先端部材２９との嵌め合いを、断面角形状の嵌合構造に、また、接地回路スイッチにおける開閉操作レバー１２の端面部と接地回路開閉操作ハンドル３２を構成するハンドル先端部材３０との嵌め合いを、断面丸形状の嵌合構造にしたが、他の断面形状等による嵌合構成することも可能である。
【００４２】
また、上述の実施の形態においては、ハンドル先端部材２９、３０に対する共通用のグリップ部材３１を用意したが、これらを一体のものにすることも可能である。
【００４３】
上述した本発明の実施の形態によれば、主回路開閉スイッチと接地回路開閉スイッチの操作ハンドル２７，３２を、各々専用化して、主回路開閉操作用のハンドル２７では、接地回路の開閉操作を行えない構造としたので、作業者の誤操作を防止することができる。その結果、その信頼性が向上する。
【００４４】
また、接地開閉スイッチの操作ハンドル挿入口には、操作ハンドル３２が容易に挿入できないように、保護カバー２０を設けたので、接地開閉操作をする際は、その一連の作業の中で作業者への接地開閉操作に対する注意を促すことができる。
【００４５】
更に、操作ハンドルのグリップ部を１つのグリップ部材３１で共用化し、各操作ハンドル挿入口に挿入される操作ハンドル２７，３２の先端部材２９，３０を専用化したので、その地上用変圧器装置への収納スペースを縮小化することができ、また、変圧器装置の扉の内側に操作ハンドルを収納し、収納スペースを確保したので、その保管性が向上する。
【図面の簡単な説明】
【００４６】
【図１】本発明の地上用変圧器装置の一実施の形態を示す正面図である。
【図２】図１に示す本発明の地上用変圧器装置の一実施の形態を構成する一次側開閉器スイッチ部を拡大して示す正面図である。
【図３】本発明の地上用変圧器装置の一実施の形態に用いられる主回路開閉スイッチの操作ハンドルを示す正面図である。
【図４】本発明の地上用変圧器装置の一実施の形態に用いられる接地路開閉スイッチの操作ハンドルを示す正面図である。
【符号の説明】
【００４７】
１        装置箱
１Ｂ      左側扉
２        一次側ケーブル
３        一次側ケーブル
４        一次側開閉器スイッチ部
５        一次側開閉器操作部
７        変圧器
８        遮断器
９        二次側ケーブル
１０      操作盤
１１      開閉操作レバー
１２      開閉操作レバー
１３      操作ハンドル挿入用の長孔
１４      操作ハンドル挿入用の長孔
１７      穴
１８      穴
２０      保護カバー
２７      主回路開閉操作ハンドル
２９      ハンドル先端部材
３２      接地回路開閉操作ハンドル
３０      ハンドル先端部材
３１      グリップ部材
【図１】
0004682002.tif 000002
【図２】
0004682002.tif 000003
【図３】
0004682002.tif 000004
【図４】
0004682002.tif 000005